(57)【要約】      （修正有）【課題】画像を印刷することのできるスマートフォンカバーにおいて、外的衝撃に対する強度の向上を図ったスマートフォンカバーを提供する。【解決手段】表面に操作及び表示用の画面Ｇが配置され、かつ裏面Ｓｂ及び側周面Ｓｃに付加端子Ｔや付加素子Ｄが搭載されたスマートフォンＳに用いられ、好みの画像を表示可能とすると共に衝撃から保護する上記スマートフォンカバー１は、スマートフォンＳの表面縁部Ｓａ及び裏面Ｓｂ並びに側周面Ｓｃを付加端子Ｔ並びに付加素子Ｄが覗くよう部分的に開口２Ａを有した状態で覆う本体２と、この本体２のスマートフォンＳの裏面Ｓｂを覆う部分に貼着され、この貼着面と反対側の面に画像を印刷した印刷部３Ｂが形成されたカバー体３と、を有することとした。【選択図】図１
0003183093.tif 000002
【実用新案登録請求の範囲】
【請求項１】
表面に操作及び表示用の画面が配置され、かつ裏面及び側周面に付加端子や付加素子が搭載されたスマートフォンに用いられ、好みの画像を表示可能とすると共に衝撃から保護するスマートフォンカバーであって、スマートフォンの表面縁部及び裏面並びに側周面を付加端子並びに付加素子が覗くよう部分的に開口を有した状態で覆う本体と、この本体のスマートフォンの裏面を覆う部分に貼着され、この貼着面と反対側の面に画像を印刷した印刷部が形成されたカバー体と、を有したことを特徴とするスマートフォンカバー。
【請求項２】
本体のカバー体が貼着される部位に、該カバー体の厚み分だけ窪んだ凹部が形成されていることを特徴とする請求項１記載のスマートフォンカバー。
【請求項３】
カバー体は、本体に対して取り替え可能に貼着されることを特徴とする請求項１又は２記載のスマートフォンカバー。
【請求項４】
カバー体は、画像を印刷した中間媒体が転写されていることを特徴とする請求項１〜３のいずれかに記載のスマートフォンカバー。
【考案の詳細な説明】
【技術分野】
【０００１】
本考案は、装飾性を有すると共に衝撃に対する強度を向上させたスマートフォンカバーに関するものである。
【背景技術】
【０００２】
昨今、いわゆるスマートフォンを汚れや衝撃から保護するカバーには、下記のように使用者個人のオリジナリティを考慮した例えば特許文献１，２が提案されている。
【０００３】
特許文献１のカバーは、インジェクション成型あるいはプレス成型にて、蓋形状のクリスタルカバー、（またさらに無地の樹脂系のアルミ系のカバーを含む）を形成する、つぎに携帯端末である、スマートホーンの表面側より取り付けて、着脱自在に使用できるクリスタルカバーに、店頭先にて顧客の求める、オリジナルデザイン装飾を実演販売加工してなる構成である。
【０００４】
特許文献２のカバーは、外側部に背面板を着脱可能に嵌合してなる携帯用情報機器保護ケースであって、外側部は機器本体の側面外周に密着するよう形成された弾性体からなり、背面板は機器本体の背面に密着してその全体を覆う板材からなる構成である。
【０００５】
しかしながら、特許文献１の無地の樹脂、アルミ系、クリスタル、のカバーは、装飾性に優れているかもしれないが、スマートフォンを保護するカバーとしての機能は果たしていない。すなわち、特許文献１は、単に装飾可能なカバー材料がスマートフォンを覆っているだけなので、該カバーから部分的に衝撃を受けた場合には、スマートフォンに受けるダメージが比較的大きいといった問題がある。
【０００６】
特許文献２の他態様によれば、背面板のスマートフォンの背面に密着する側の面に被覆材が設けられる点で上記特許文献１よりは被覆材により該背面板を介した衝撃をスマートフォンへ伝えにくくなっているものの、外側部がスマートフォンの側面外周に密着するように形成されている（背面板とは別体）ため、該スマートフォンの側面部に受けた場合は該外側部が容易に歪みかつスマートフォンが破損する可能性が高く、背面板も外れやすいといった問題がある。
【先行技術文献】
【特許文献】
【０００７】
【特許文献１】特開２０１２−１７００３８号公報
【特許文献２】実用新案登録第３１６２７５５号公報
【考案の概要】
【考案が解決しようとする課題】
【０００８】
解決しようとする問題は、特許文献１，２のスマートフォン用カバーは、装飾性を重視しているのでカバー本来のスマートフォンの外的衝撃に対する強度が不足している点である。
【課題を解決するための手段】
【０００９】
上記問題を解決するために、本考案は、スマートフォンの表面縁部及び裏面並びに側周面を付加端子並びに付加素子が覗くよう部分的に開口を有した状態で覆う本体と、この本体のスマートフォンの裏面を覆う部分に貼着され、この貼着面と反対側の面に画像を印刷した印刷部が形成されたカバー体と、有したことを最も主要な特徴とする。
【考案の効果】
【００１０】
本考案は、カバー体は印刷等可能で装飾性が高く、本体はスマートフォンの側周面と裏面を覆うように一体的に構成されていることと、カバー体も本体に層を成して該スマートフォンの裏面を覆うことから、外的衝撃に対する強度が向上するといった効果がある。また、カバー体は本体と別体であるので、印刷や装飾がしやすい材料や好みの材料を選べるといった利点もある。
【図面の簡単な説明】
【００１１】
【図１】図１は、本考案のスマートフォンカバーを示し、（ａ）は表面側から見た分解斜視図、（ｂ）は裏面側から見た分解斜視図、である。
【図２】図２は、本考案のスマートフォンカバーにおけるカバー体の印刷手法を説明するための図である。
【図３】図３は、本考案のスマートフォンカバーにおけるカバー体の印刷手法を説明するための図である。
【考案を実施するための形態】
【００１２】
本考案は、表面に操作及び表示用の画面が配置され、かつ裏面及び側周面に付加端子や付加素子が搭載されたスマートフォンに用いられ、好みの画像を表示可能とすると共に衝撃から保護するスマートフォンカバーであって、スマートフォンの表面縁部及び裏面並びに側周面を付加端子並びに付加素子が覗くよう部分的に開口を有した状態で覆う本体と、この本体のスマートフォンの裏面を覆う部分に貼着され、この貼着面と反対側の面に画像を印刷した印刷部が形成されたカバー体と、を有したものである。
【００１３】
また、上記構成において、本体のカバー体が貼着される部位に、該カバー体の厚み分だけ窪んだ凹部を形成していてもよく、こうすることで、カバー体が引っ掛かって剥がれるといったことがなくなる。
【００１４】
さらに、上記いずれかの構成において、カバー体は、本体に対して取り替え可能に貼着される構成とすれば、気分や好みに応じて気軽にカバー体を取り替えることができる。
【００１５】
また、さらに、上記いずれかの構成において、カバー体は、画像を印刷した中間媒体が転写されている構成とすれば、画像が精度よくかつ綺麗なものとすることができる。
【実施例】
【００１６】
以下、図１〜図２を参照して本考案のスマートフォンカバーについて説明する。本考案のスマートフォンカバー１（以下、カバー１と記す）は、表面に操作及び表示用の画面Ｇが配置され、かつ裏面及び側周面に付加端子Ｔや付加素子Ｄが搭載されたいわゆるスマートフォンＳに用いられる。
【００１７】
カバー１は、スマートフォンＳの表面縁部Ｓａ及び裏面Ｓｂ及び側周面Ｓｃを付加端子Ｔ及び付加素子Ｄが覗くよう部分的に開口２Ａが形成された本体２と、本体２のスマートフォンの裏面を覆う部分に貼着部３Ａが設けられ、この貼着部３Ａと反対側の面に使用者の好みの画像を印刷した印刷部３Ｂが形成されたカバー体３と、を有している。
【００１８】
本体２の全体的な寸法や開口２Ａの位置は、各スマートフォンＳのそれぞれに応じて設計されている。また、本体２は、スマートフォンＳの裏面Ｓｂを覆う裏面部２ａと、この裏面部２ａの四辺の各々から連続して垂設された側周面部２ｂと、この側周面部２ｂの四辺の各々から連続してスマートフォンＳの表面（表示面）の中心方向へ延設された表面縁部２ｃにより形成されている。そして、裏面部２ａと側周面部２ｂに、上記開口２Ａが設けられている。
【００１９】
また、本体２の裏面部２ａには、本例では例えばカバー体３の厚み分だけ窪んだ凹部２が形成されており、ここに該カバー体３が挿入される。こうすることで、本体２が平坦となり、カバー体３が引っ掛かって剥がれることもない。
【００２０】
さらに、本体２は、後述するスマートフォンＳを装着する際に弾性変形するが全体としての剛性の高い例えばポリカーボネートや、全体として衝撃吸収性の高い例えばポリウレタンやシリコーンから選択する。つまり、本体２は、衝撃に対して、剛性あるいは吸収性でスマートフォンＳを保護する材料を選択するようにしている。
【００２１】
そして、スマートフォンＳに本体２を装着する際には、本体２の表面縁部２ｃで囲まれた開口からスマートフォンＳを挿入する。スマートフォンＳを挿入後は、本体２と該スマートフォンＳがほぼ密着状態となる。
【００２２】
スマートフォンＳとこれを覆う本体２が密着していることで、ゴミやホコリが挿入することが防止され、また、上記の材料が耐衝撃性又は衝撃吸収性に長けていることと、上記表面縁部２ｃで囲まれた開口以外の本体２が一体的に成型されているので衝撃からスマートフォンＳを保護することができる。
【００２３】
また、本体２は、上記のとおり裏面部２ａ、側周面部２ｂ、表面縁部２ｃスマートフォンＳの裏面、側周面、表面縁部を覆っているから、外れにくい。
【００２４】
カバー体３は、その一方面に、本体２の裏面部２ａの表面（スマートフォンＳの裏面と密着する面と反対の面）に貼着する糊剤が塗布された貼着部３Ａが形成され、その他方面に、印刷部３Ｂが形成されている。なお、カバー体３の貼着部３Ａは本体２に貼着する前は（本体２に貼着時に剥がす）離型紙が付けられている。
【００２５】
カバー体３は、上記本体２との材料の組み合わせで高強度である例えばアルミ板を選択する。カバー体３にアルミ板を採用し、本体２に対してカバー体３を別途で貼着することで、該本体２と該カバー体３とでスマートフォンＳの裏面Ｓｂに受けた衝撃から確実に保護することができる。
【００２６】
また、カバー体３の印刷部３Ｂは、カバー体３に直接印刷したりカバー体３に印刷に適した受像層を設けて印刷してもよいが、本例では、中間媒体３Ｃを該カバー体３に貼着することで該印刷部３Ｂを構成するようにしている。
【００２７】
中間媒体３Ｃは、例えば図２（ａ）（ｂ）に示すように、剥離可能な離型性を有した基材３Ｃａに上に印刷に適した材料でなる受像層３Ｃｂが設けられている。この中間媒体３Ｃは、受像層３Ｃｂに印刷がされ、受像層３Ｃｂにおける印刷がされた面をカバー体３に転写する。こうすることで、印刷がされた面は、受像層３Ｃｂにおける印刷がされていない面で保護されるから画像が劣化しにくい。
【００２８】
また、中間媒体３Ｃは、例えば図３（ａ）（ｂ）に示すように、基材３Ｃａ上に受像層３Ｃｃが設けられている点と、カバー体３に受像層３Ｃｃの印刷された面を転写する点は図２の態様と同じであるが、その後、受像層３Ｃｃを基材３Ｃａと共にカバー体３から剥離して、印刷層だけをカバー体３に残す点が異なる。こうすることで、印刷が容易で綺麗な画像をカバー体３に設けることができる。
【００２９】
また、本考案のカバー１は、図示しないが、例えば本体２にカバー体３を差し込むようにしたり、カバー体３に貼着するために要した糊材を貼り替え可能なものにすることで、本体２に、好みのカバー体３を適宜で差し替えることもできる。
【符号の説明】
【００３０】
１  （スマートフォン）カバー
２  本体
２Ａ  開口
２Ｂ  凹部
２ａ  裏面部
２ｂ  側周面部
２ｃ  表面縁部
３  カバー体
３Ａ  貼着部
３Ｂ  印刷部
３Ｃ  中間媒体
３Ｃａ  基材
３Ｃｂ  受像層
３Ｃｃ  受像層
Ｓ  スマートフォン
Ｓａ  表面縁部
Ｓｂ  裏面
Ｓｃ  側周面
Ｇ  画面
Ｔ  付加端子
Ｄ  付加素子
【図１】
0003183093.tif 000003
【図２】
0003183093.tif 000004
【図３】
0003183093.tif 000005